(57)【要約】【課題】スピーカの振動による共振を抑制することができると共に、スピーカとしての強度を向上させることが可能なスピーカ用フレームを提供する。【解決手段】スピーカＳＰを構成する振動板ＤＰを支持する振動板支持部ＨＤと、振動板支持部ＨＤから突出した突出部１と、を備え、突出部１は、面３を有する板部２と、面３上に位置し、振動板支持部ＨＤに接続されたリブ４Ａ及びリブ４Ｂと、面３に対して傾斜した傾斜面５Ａを有してリブ４Ａ及びリブ４Ｂに続いている傾斜部５と、を備える。【選択図】図１
2019193138.tif 000002
【特許請求の範囲】
【請求項１】
スピーカの振動板を支持する振動板支持部と、
前記振動板支持部から突出した突出部と、
を備え、
前記突出部は、
面を有する板部と、
前記面上に位置し、前記振動板支持部に接続されたリブと、
前記面に対して傾斜した傾斜面を有して前記リブに続いている傾斜部と、
を備えることを特徴とするスピーカ用フレーム。
【請求項２】
請求項１に記載のスピーカ用フレームにおいて、
前記傾斜部の端部は前記面上に位置していることを特徴とするスピーカ用フレーム。
【請求項３】
請求項１又は請求項２に記載のスピーカ用フレームにおいて、
前記リブは、前記面の端部に位置していることを特徴とするスピーカ用フレーム。
【請求項４】
請求項１から請求項３のいずれか一項に記載のスピーカ用フレームにおいて、
前記面に対して垂直方向に当該面を貫通する開口を備えることを特徴とするスピーカ用フレーム。
【請求項５】
請求項１から請求項４のいずれか一項に記載のスピーカ用フレームにおいて、
二つの前記リブが前記面の向かい合う端部にそれぞれ位置しており、
前記傾斜部は、一の前記リブから他の前記リブまで続いていることを特徴とするスピーカ用フレーム。
【請求項６】
請求項４を引用する請求項５に記載のスピーカ用フレームにおいて、
前記リブは板状であり、
前記振動板支持部が位置する方向とは反対側の当該リブの端部の位置は、前記突出部が前記振動板支持部から突出する方向に沿った前記開口の長さを帯幅とし且つ当該開口を含んで前記リブの延在方向に垂直な方向の帯状領域内にあることを特徴とするスピーカ用フレーム。
【請求項７】
請求項１から請求項６のいずれか一項に記載のスピーカ用フレームにおいて、
前記傾斜面は、前記振動板支持部から離れるほど前記面に近付く方向に傾斜していることを特徴とするスピーカ用フレーム。
【請求項８】
請求項１から請求項７のいずれか一項に記載のスピーカ用フレームにおいて、
前記傾斜部において、前記振動板支持部が位置する方向とは反対側の端部の形状が、当該振動板支持部が位置する側に凹んだ曲線形状とされていることを特徴とするスピーカ用フレーム。
【発明の詳細な説明】
【技術分野】
【０００１】
本願はスピーカ用フレームの技術分野に属する。より詳細には、スピーカを構成する振動板を支持する振動板支持部を含むスピーカ用フレームの技術分野に属する。
【背景技術】
【０００２】
スピーカを開発する場合、一般に、その軽量化及び強度の向上並びに音質の向上等がその目的とされる。またこの中で、軽量化や強度を担保しつつ、スピーカの発した音に対してスピーカが共振してしまうことを抑制することも検討される。このようなスピーカのフレーム構造を示す先行技術文献としては、例えば下記特許文献１が挙げられる。この特許文献１に記載されている技術では、車両のドアなどに取付けられる車載スピーカ装置において、車内の壁面の振動を抑制することを目的として、スピーカの振動板を支持するフレームの外周側に伸びる複数の延在部を設け、この延在部の端部でスピーカユニットをドアに固定するとともに、スピーカユニットと車内の壁面との間に低剛性の環状の遮音材を配置し、更に、スピーカユニットの共振周波数を、振動板の共振周波数よりも低くする構成とされている。
【先行技術文献】
【特許文献】
【０００３】
【特許文献１】特開平８−８４３８９号公報
【発明の概要】
【発明が解決しようとする課題】
【０００４】
しかしながら、近年の高音質化や軽量化の要請は更に高度になりつつあり、従って、更なる共振によるスピーカ振動の抑制やスピーカユニットとしての強度の向上が求められている。
【０００５】
そこで本願は、上記の要請に鑑みて為されたもので、その課題の一例は、スピーカにおける共振周波数を向上させてスピーカの共振を抑制することができると共に、スピーカとしての強度を向上させることが可能なスピーカ用フレームを提供することにある。
【課題を解決するための手段】
【０００６】
上記の課題を解決するために、請求項１に記載の発明は、スピーカの振動板を支持する振動板支持部と、前記振動板支持部から突出した突出部と、を備え、前記突出部は、面を有する板部と、前記面上に位置し、前記振動板支持部に接続されたリブと、前記面に対して傾斜した傾斜面を有して前記リブに続いている傾斜部と、を備える。
【図面の簡単な説明】
【０００７】
【図１】実施形態及び実施例のスピーカ用フレームの全体構成を示す上面図等であり、（ａ）は当該上面図であり、（ｂ）は当該スピーカ用フレームを図１（ａ）中Ａ方向から見た側面図であり、（ｃ）は当該スピーカ用フレームを図１（ａ）中Ｂ方向から見た側面図である。
【図２】実施例のスピーカ用フレームの裏面図である。
【図３】実施例の第１突出部の拡大上面図等であり、（ａ）は図１（ａ）に符号αで示す範囲の拡大上面図であり、（ｂ）は当該範囲の拡大裏面図である。
【図４】実施例の第１突出部の拡大側面図等であり、（ａ）は図１（ｂ）に符号ααで示す範囲の拡大側面図であり、（ｂ）は当該第１突出部の拡大外観斜視図であり、（ｃ）は当該第１突出部の図１（ａ）及び図３（ａ）中ａ−ａ’部の拡大断面図である。
【図５】実施例の第２突出部の拡大上面図等であり、（ａ）は図１（ａ）に符号βで示す範囲の拡大上面図であり、（ｂ）は当該範囲の拡大裏面図である。
【図６】実施例の第２突出部の拡大側面図等であり、（ａ）は図１（ｃ）に符号ββで示す範囲の拡大側面図であり、（ｂ）は当該第２突出部の拡大外観斜視図であり、（ｃ）は当該第２突出部の図１（ａ）及び図５（ａ）中ｂ−ｂ’部の拡大断面図である。
【発明を実施するための形態】
【０００８】
次に、本願を実施するための形態について、図１を用いて説明する。なお図１は、実施形態及び実施例のスピーカ用フレームの全体構成を上面図等である。
【０００９】
図１に示すように、実施形態のスピーカ用フレームＦは、スピーカＳＰの振動板ＤＰを支持する振動板支持部ＨＤと、振動板支持部ＨＤから突出した突出部１と、を備え、突出部１は、面３を有する板部２と、面３上に位置し、振動板支持部ＨＤに接続されたリブ４Ａ及びリブ４Ｂと、面３に対して傾斜した傾斜面５Ａを有してリブ４Ａ及びリブ４Ｂに続いている傾斜部５と、を備える。
【００１０】
以上説明したように、実施形態のスピーカ用フレームＦの構造によれば、板部２の面３上に位置し、振動板支持部ＨＤに接続されたリブ４Ａ及びリブ４Ｂと、当該面３に対して傾斜した傾斜面５Ａを有してリブ４Ａ及びリブ４Ｂに続いている傾斜部５と、を備える突出部１を備える。よって、スピーカＳＰの振動により加わる力を、傾斜部５を含む立体形状により分散させることで、スピーカＳＰにおける共振周波数を向上させてスピーカＳＰの共振を抑制することができると共に、突出部１及びスピーカ用フレームＦとしての強度も向上させることができる。
【実施例】
【００１１】
次に、上述した実施形態に対応する具体的な実施例について、上記図１に加えて図２乃至図６を用いて説明する。なお以下に説明する実施例は、車両の例えばドアの内側に取り付けられるスピーカを構成するスピーカ用フレームに対して本願を適用した場合の実施例である。このとき図２乃至図６では、図１に示した実施形態のスピーカ用フレームＦにおける各構成部材に対応する実施例の構成部材それぞれについて、実施形態のスピーカ用フレームＦにおける各構成部材と同一の部材番号を用いている。
【００１２】
初めに、実施例のスピーカ用フレームについて、その全体構造を図１及び図２を用いて説明する。なお図２は、実施例のスピーカ用フレームの裏面図である。
【００１３】
図１及び図２に示すように、実施形態に対応する実施例のスピーカＳＰは、詳細の図示を省略する駆動部ＤＶ及び振動板ＤＰが、実施例のスピーカ用フレームＦにより支持されて構成されている。そして実施例のスピーカ用フレームＦは、上記振動板ＤＰを支持する振動板支持部ＨＤと、当該振動板支持部ＨＤから突出している第１突出部１、第２突出部１０及び第３突出部２０と、により構成されている。より具体的に、第１突出部１、第２突出部１０及び第３突出部２０は、特に振動板支持部ＨＤの外側面１００から外側に突出して形成されている。また当該スピーカ用フレームＦは、例えば樹脂を材料とした一体成形により形成されている。
【００１４】
そして、実施形態に対応する実施例の第１突出部１は、平面３を有し開口６が平面３の中央付近に空けられた板部２と、板部２の両側と振動板支持部ＨＤの外側面１００にそれぞれ接続された二つのリブ４Ａ及びリブ４Ｂと、外側面１００に接続されたリブ７に接続され且つ上記平面３に続いている傾斜部５と、を有している。なお以下の説明において、「接続」とは、例えば上記リブ４Ａ及びリブ４Ｂの場合は、板部２の両側と外側面１００との位置関係がずれないように相互に固定されていることをいう。そして、平面３の側から見て板部２の裏側には、図２に示すように、スピーカ用フレームＦとしての軽量化及び樹脂材料の節約のための肉抜きがされた凹部８が複数形成されている。この第１突出部１については、第１実施例としてその構造を後ほど詳述する。この構成において、平面３が実施形態の面３の一例に相当する。
【００１５】
一方、実施形態に対応する実施例の第２突出部１０は、平面１２を有し開口１５がその中央付近に空けられた板部１１と、板部１１の両側と振動板支持部ＨＤの外側面１００にそれぞれ接続された二つのリブ１３Ａ及びリブ１３Ｂと、リブ１６及びリブ１７Ａ乃至リブ１７Ｃを介して外側面１００に接続され且つ板部１１の面１２に続いている傾斜部１４と、を有している。そして、平面１２の側から見て板部１１の裏側には、図２に示すように、上記軽量化及び上記節約のための肉抜きがされた凹部１８が複数形成されている。この第２突出部１０については、第２実施例としてその構造を後ほど詳述する。
【００１６】
更に、実施形態に対応する実施例の第３突出部２０の構造は第１突出部１と同様であるので、当該構造についての細部の説明は省略する。
【００１７】
（Ｉ）第１実施例
次に、第１突出部１の細部構成について、第１実施例として図３及び図４を用いて説明する。なお、図３は実施例の第１突出部の拡大上面図等であり、図４は当該第１突出部の拡大側面図等である。
【００１８】
図３及び図４に示すように、実施例の第１突出部１の先端部を形成する板部２の表面である平面３には、平面３に垂直な方向に当該平面３を貫通する開口６が設けられている。そして板部２の両側には、側面視三角形状のリブ４Ａ及びリブ４Ｂがそれぞれ接続されている。この二つのリブ４Ａ及びリブ４Ｂは、それぞれ、板部２の両側端部に接続されていると共に、振動板支持部ＨＤの外側面１００にも接続されている。更に、特に図３（ａ）に示すように、上記外側面１００と反対側のリブ４Ａの端部Ｅ１Ａ及びリブ４Ｂの端部Ｅ１Ｂの位置は、それぞれ、第１突出部１が外側面１００から突出する方向に沿った開口６の長さｗ１を帯幅とし且つ当該開口６を含んでリブ４Ａ及びリブ４Ｂの延在方向に垂直な方向の帯状領域内にある。
【００１９】
次に、二つのリブ４Ａ及びリブ４Ｂの間には、板部２の平面３に続いている傾斜面５Ａを有する傾斜部５が接続されている。このとき、平面３と傾斜面５Ａとのなす角度は、例えばスピーカ用フレームＦとして求められる強度や抑制すべき共振の周波数等に基づいて最適化される。そして、傾斜面５Ａと平面３との境界は、実施例のスピーカＳＰを例えば上記ドアに取り付ける際に開口６を通るビス等の頭やワッシャ等が上記取り付け時に干渉しないように、外側面１００側に凹んだ曲線とされている。また、傾斜部５の外側面１００側の端部は、当該外側面１００の形状に沿うように曲線形状とされている。
【００２０】
一方、特に図４に示すように、傾斜部５（の裏面）と外側面１００とは、リブ７を介して接続されている。そして、一方のリブ４Ａ、傾斜部５、リブ７及び外側面１００により囲まれた部分は、上記軽量化及び上記節約のための肉抜きがされた有底の凹部３０Ａとされている。更に、他方のリブ４Ｂ、傾斜部５、リブ７及び外側面１００により囲まれた部分は、上記軽量化及び上記節約のための肉抜きがされた有底の凹部３０Ｂとされている。他方、傾斜部５の裏側も、同様に上記軽量化及び上記節約のための肉抜きがされた凹部３１Ａ乃至凹部３１Ｄとされており、当該凹部３１Ａ乃至凹部３１Ｄは、例えば突出部１としての強度向上を目的として、それぞれリブにより仕切られている。以上の構成により、傾斜部５自体は、その表面が平らな傾斜面５Ａとされ、且つ平面３に沿って湾曲した板状となっている。更に、特に図３（ｂ）及び図４（ｃ）に示すように、板部２の裏側には複数の上記凹部８が形成されている。
【００２１】
（II）第２実施例
次に、第２突出部１０の細部構成について、第２実施例として図５及び図６を用いて説明する。なお、図５は実施例の第２突出部の拡大上面図等であり、図６は当該第２突出部の拡大側面図等である。
【００２２】
図５及び図６に示すように、実施例の第２突出部１０の先端部を形成する板部１１の表面である平面１２には、平面１２に垂直な方向に当該平面１２を貫通する開口１５が設けられている。そして板部１１の両側には、側面視三角形状のリブ１３Ａ及びリブ１３Ｂがそれぞれ接続されている。この二つのリブ１３Ａ及びリブ１３Ｂは、それぞれ、板部１１の両側端部に接続されていると共に、振動板支持部ＨＤの外側面１００にも接続されている。更に、特に図５（ａ）に示すように、上記外側面１００と反対側のリブ１３Ａの端部Ｅ２Ａ及びリブ１３Ｂの端部Ｅ２Ｂの位置は、それぞれ、第２突出部１０が外側面１００から突出する方向に沿った開口１５の長さｗ２を帯幅とし、且つ当該開口１５を含んでリブ１３Ａ及びリブ１３Ｂの延在方向に垂直な方向の帯状領域内にある。
【００２３】
次に、二つのリブ１３Ａ及びリブ１３Ｂの間には、板部１１の平面１２に続いている傾斜面１４Ａを有する傾斜部１４が接続されている。このとき、平面１２と傾斜面１４Ａとのなす角度は、上記平面３と傾斜面５Ａの場合と同様に、例えばスピーカ用フレームＦとして求められる強度や抑制すべき共振の周波数等に基づいて最適化される。そして、傾斜面１４Ａと平面１２との境界は、開口１５を通る上記ビス等の頭やワッシャ等が上記取り付け時に干渉しないように、傾斜面５Ａと同様に外側面１００側に凹んだ曲線とされている。
【００２４】
一方、傾斜部１４の外側面１００側に隣接する部分には、各々が傾斜部１４Ａに続いているリブ１７Ａ乃至リブ１７Ｃによりそれぞれ仕切られ、且つ上記軽量化及び上記節約のための肉抜きがされた有底の凹部４１Ａ乃至凹部４１Ｄが形成されている。即ち、一方のリブ１３Ａ、傾斜部１４、リブ１７Ａ及び梁１８により囲まれた部分が上記凹部４１Ａとされている。また、リブ１７Ａ、傾斜部５、リブ１７Ｂ及び梁１８により囲まれた部分が上記凹部４１Ｂとされている。更に、リブ１７Ｂ、傾斜部５、リブ１７Ｃ及び梁１８により囲まれた部分が上記凹部４１Ｃとされている。更にまた、リブ１７Ｃ、傾斜部５、他方のリブ１３Ｂ及び梁１８により囲まれた部分が上記凹部４１Ｄとされている。そして、特に図６に示すように、上記リブ１７Ａ乃至リブ１７Ｃは、外側面１００に平行に形成された上記梁１８及びリブ１６を介して外側面１００に接続されている。
【００２５】
他方、リブ１３Ａ、梁１８、リブ１６及び外側面１００により囲まれた部分は、上記軽量化及び上記節約のための肉抜きがされた有底の凹部４０Ａとされている。また、リブ１３Ｂ、梁１８、リブ１６及び外側面１００により囲まれた部分は、上記軽量化及び上記節約のための肉抜きがされた有底の凹部４０Ｂとされている。以上の構成により、傾斜部１４自体は、その表面が平らな傾斜面１４Ａとされ、且つ平面１２及び凹部４１Ａ乃至４１Ｄの平面１２側の面に沿って湾曲した板状となっている。更に、特に図５（ｂ）及び図６（ｃ）に示すように、板部１１の裏側には複数の上記凹部１８が形成されている。
【００２６】
以上それぞれ説明したように、実施例のスピーカ用フレームＦの構造によれば、板部２（又は板部１１）の平面３（又は平面１２）上に位置し、振動板支持部ＨＤに接続されたリブ４Ａ及びリブ４Ｂ（又はリブ１３Ａ及びリブ１３Ｂ）と、当該板部２（又は当該板部１１）の平面３（又は平面１２）に対して傾斜した傾斜面５Ａ（又は傾斜面１４Ａ）を有してリブ４Ａ及びリブ４Ｂ（又はリブ１３Ａ及びリブ１３Ｂ）に続いている傾斜部５（又は傾斜部１４）と、を備える第１突出部１及び第３突出部２０（又は第２突出部１０）を備える。よって、スピーカＳＰの振動により加わる力を、傾斜部５（又は傾斜部１４）を含む立体形状により分散させることで、スピーカＳＰにおける共振周波数を向上させてスピーカＳＰの共振を抑制することができると共に、第１突出部１及び第３突出部２０並びに第２突出部１０及びスピーカ用フレームＦとしての強度も向上させることができる。
【００２７】
また、傾斜面５Ａ（又は傾斜面１４Ａ）を有する傾斜部５（又は傾斜部１４）が板部２（又は板部１１）の平面３（又は平面１２）並びにリブ４Ａ及びリブ４Ｂ（又はリブ１３Ａ及びリブ１３Ｂ）に接続されている。よって、スピーカＳＰの振動により加わる力を更に分散させることで、スピーカＳＰの共振を更に抑制することができると共に、第１突出部１及び第３突出部２０並びに第２突出部１０及びスピーカ用フレームＦとしての強度も更に向上させることができる。
【００２８】
更に、リブ４Ａ及びリブ４Ｂ（又はリブ１３Ａ及びリブ１３Ｂ）が板部２（又は板部１１）の平面３（又は平面１２）の端部に接続されているので、板部２（又は板部１１）として必要とされる面の広さを確保することができる。
【００２９】
更にまた、板部２（又は板部１１）の平面３（又は平面１２）に対して垂直方向に当該面を貫通する開口６（又は開口１５）を備える。よって、スピーカＳＰの共振が外部に伝播することを防止しつつ、例えば当該開口６（又は開口１５）を用いてスピーカＳＰを取り付けることができる。
【００３０】
また、二つのリブ４Ａ及びリブ４Ｂ（又はリブ１３Ａ及びリブ１３Ｂ）が板部２（又は板部１１）の平面３（又は平面１２）の向かい合う端部にそれぞれ位置しており、傾斜部５（又は傾斜部１４）が、一のリブ４Ａ（又はリブ１３Ａ）から他のリブ４Ｂ（又はリブ１３Ｂ）まで続いている。よって、スピーカＳＰの振動により加わる力を更に分散させることで、当該振動によるスピーカＳＰの共振を更に抑制することができると共に、第１突出部１及び第３突出部２０並びに第２突出部１０及びスピーカ用フレームＦとしての強度も更に向上させることができる。
【００３１】
更に、上記外側面１００と反対側のリブ４Ａの端部Ｅ１Ａ（又はリブ１３Ａの端部Ｅ２Ａ）の位置及びリブ４Ｂの端部Ｅ１Ｂ（又はリブ１３Ｂの端部Ｅ２Ｂ）の位置は、第１突出部１（又は第２突出部１０）が外側面１００から突出する方向に沿った開口６（又は開口１５）の長さｗ１（又は長さｗ２）を帯幅とし、且つ当該開口６（又は当該開口１５）を含んでリブ４Ａ及びリブ４Ｂ（又はリブ１３Ａ及びリブ１３Ｂ）の延在方向に垂直な方向の帯状領域内にある（図３（ａ）又は図５（ａ）参照）。よって、第１突出部１（又は第２突出部１０）を含むスピーカ用フレームＦとしての強度を更に高めることができる。
【００３２】
更にまた、傾斜部５（又は傾斜部１４）の傾斜面５Ａ（又は傾斜面１４Ａ）が、上記外側面１００から離れるほど平面３（又は平面１２）に近付く方向に傾斜している（即ち、平面３（平面１２）と傾斜面５Ａ（又は傾斜面１４Ａ）とが続いている）。よって、平面３（又は平面１２）上に空間を確保できることで、例えば、第１突出部１、第２突出部１０及び第３突出部２０を使用したスピーカＳＰの取り付けを容易化することができる。
【００３３】
また、外側面１００と反対側の傾斜部５（又は傾斜部１４）の端部の形状が、当該外側面１００側に凹んだ曲線形状とされているので（特に図３（ａ）又は図５（ａ）参照）、平面３（又は平面１２）上に空間を確保できることで、例えば、第１突出部１、第２突出部１０及び第３突出部２０を使用したスピーカＳＰの取り付けを容易化することができる。
【００３４】
なお上述した実施例の傾斜面５Ａ又は傾斜面１４Ａは、それらの表面が平滑であるように構成したが、例えば、本願の目的に沿った形状又は密度の凹凸がその表面に形成されていてもよい。
【００３５】
また、上述した実施例では、スピーカ用フレームＦ全体が樹脂を用いて一体成形されるとしたが、これ以外に、部分的に材質を異ならせてもよい。
【００３６】
更に、上述した実施例では、開口６及び開口１５並びに開口２１が共に円形であることとしたが、開口６又は開口１５或いは第３突出部２０の板部に空けられる開口の形状はこれに限られず、例えば楕円形や三角形以上の多角形、或いはその他の形状でもよい。
【００３７】
更にまた、上述した実施例では、第１突出部１、第２突出部１０及び第３突出部２０が振動板支持部ＨＤの外側面１００から外向きに突出していたが、これ以外に、例えば、振動板支持部ＨＤの下面から外向きに突出するように構成されていてもよい。
【符号の説明】
【００３８】
１    突出部（第１突出部）
２、１１    板部
３    面（平面）
４Ａ、４Ｂ、１３Ａ、１３Ｂ    リブ
５、１４    傾斜部
５Ａ、１４Ａ    傾斜面
１０    第２突出部
１２    平面
２０    第３突出部
１００    外側面
ＳＰ    スピーカ
Ｆ    スピーカ用フレーム
ＨＤ    振動板支持部
【図１】
2019193138.tif 000003
【図２】
2019193138.tif 000004
【図３】
2019193138.tif 000005
【図４】
2019193138.tif 000006
【図５】
2019193138.tif 000007
【図６】
2019193138.tif 000008